(57)【要約】      （修正有）【課題】内容物がこぼれたりはねたりすることを抑制し、開封時の安定性を向上させたリフィルを提供する。【解決手段】再使用可能な詰替容器に内容物を移し替えるためのリフィル１は、開封の際に裂ける部分を規定する溝１２３が周囲に設けられ、荷重を加えることで開封される注出部１２２と、注出部１２２に接続され、詰替容器の開口に挿入可能な荷重伝達部１２５とを備える。そして、荷重伝達部１２５は、詰替容器の開口内と接触した際に受ける荷重を注出部１２２に伝達する。【選択図】図１
2016153322.tif 000002
【特許請求の範囲】
【請求項１】
再使用可能な詰替容器に内容物を移し替えるためのリフィルであって、
開封の際に裂ける部分を規定する溝が周囲に設けられ、荷重を加えることで開封される注出部と、
前記注出部に接続され、前記詰替容器の開口に挿入可能な荷重伝達部と、
を備え、
前記荷重伝達部は、前記詰替容器の開口内と接触した際に受ける荷重を前記注出部に伝達する
リフィル。
【請求項２】
前記荷重伝達部に接続され、前記詰替容器の吐出口に挿入可能であって、前記詰替容器の筒状の開口の内周面に押し当てることができる接触面を有し、
前記荷重伝達部は、前記接触面を介して前記詰替容器の開口内と接触した際に受ける荷重を前記注出部に伝達する
請求項１に記載のリフィル。
【請求項３】
前記接触面及び前記荷重伝達部の周囲に、壁面を備える
請求項１又は２に記載のリフィル。
【請求項４】
前記荷重伝達部は、三角リブ状である
請求項１から３のいずれか一項に記載のリフィル。
【請求項５】
前記注出部及び前記接触面は、それぞれ板状であり、互いに略垂直に接続される
請求項１から４のいずれか一項に記載のリフィル。
【発明の詳細な説明】
【技術分野】
【０００１】
本発明は、リフィルに関する。
【背景技術】
【０００２】
従来、再使用可能な詰替容器に液体製品等を移し替えて使用するための詰替製品であるリフィルが使用されている。リフィルを用いることには、廃棄物の削減や、容器を製造するための資源の浪費防止、製品価格の低減といった利点がある。
【０００３】
また、注入口の開口端縁にフック部を係合させ、容器の注出筒を本容器の注入口へ差し込むように移動させることで、注出筒の閉塞板に引張力を作用させることができるというリフィルも提案されている（例えば特許文献１）。このリフィルは、弱体部を破断しながら閉塞板を徐々に捲るように変形させ、閉塞していた注出口を開放することができるとされている。
【０００４】
また、リフィル（「詰替容器」）の注出ノズルを本容器本体の口部に挿入し、本容器本体の上部にリフィルを倒立させた状態で自立させるという詰替方法（例えば特許文献２）や、繰り返し使用容器の開口部周縁に嵌合、連結させることができるというリフィル（例えば特許文献３）も提案されている。
【先行技術文献】
【特許文献】
【０００５】
【特許文献１】特開２０１４−１２９１００号公報
【特許文献２】特開２０１１−１８４０６０号公報
【特許文献３】特許第４３５２６７１号公報
【発明の概要】
【発明が解決しようとする課題】
【０００６】
従来、様々なリフィルが提案されている。パウチ等のような剛性の低い簡易包装の場合、詰め替える際には使用者が詰替容器の口元にリフィルの注出口を保持する必要があるところ、バランスを崩して内容物をこぼしてしまうことがあった。また、注出口の形状を詰替容器の口元に連結させられるようにしたボトル型のリフィルも提案されているが、まず繰り返し使用する容器を逆さにして連結する必要があるため、繰り返し使用する容器に内容物が残った状態で注ぎ足すことができないという問題があった。
【０００７】
また、リフィルの注出口を開栓する際にも内容物がはねることがある。これに対し、注出口を詰替容器の口に挿入して押し込む動作により、詰替容器の口元の縁に係合させたフック部とつながった閉塞板を捲るように変形させて開封するリフィルも提案されている。しかしながら、一般的にリフィルの口よりも本体部分の方が太くなっているため詰替容器の口にリフィルの口を一定以上押し込むことはできないところ、使用者が力の加減を誤ると、勢い余ってリフィルの注出口が詰替容器の口から外れたり、詰替容器を倒してしまうおそれがあった。
【０００８】
そこで、本発明は、内容物がこぼれたりはねたりすることを抑制し、開封時の安定性を向上させたリフィルを提供することを目的とする。
【課題を解決するための手段】
【０００９】
本発明に係る、再使用可能な詰替容器に内容物を移し替えるためのリフィルは、開封の
際に裂ける部分を規定する溝が周囲に設けられ、荷重を加えることで開封される注出部と、注出部に接続され、詰替容器の開口に挿入可能な荷重伝達部とを備える。そして、荷重伝達部は、詰替容器の開口内と接触した際に受ける荷重を注出部に伝達する。
【００１０】
このようにすれば、荷重伝達部を詰替容器の開口に挿入した状態において、詰替容器の開口内と接触した際に受ける荷重により注出部を開封することができる。すなわち、荷重伝達部を詰替え容器の開口に挿入した状態から、例えばリフィルを押し倒し（傾け）、詰替え容器の開口内と接触した際に受ける荷重を荷重伝達部が注出部に伝えることにより、注出部の周囲に設けられた溝が破断するようになっている。また、リフィルを押し倒す（傾ける）操作であれば力を加減し易いため、開封時に勢いを余らせて内容物をこぼすようなことが抑制できる。すなわち、内容物がこぼれたりはねたりすることを抑制できると共に、開封時の安定性を向上させることができる。
【００１１】
また、リフィルは、荷重伝達部に接続され、詰替容器の吐出口に挿入可能であって、詰替容器の筒状の開口の内周面に押し当てることができる接触面を備え、荷重伝達部は、接触面を介して詰替容器の開口内と接触した際に受ける荷重を注出部に伝達するようにしてもよい。このようにすれば、接触面が受ける荷重を効率よく注出部に伝達することができる。
【００１２】
また、リフィルは、接触面及び荷重伝達部の周囲に、壁面を備えるようにしてもよい。例えば、接触面及び荷重伝達部の周囲の少なくとも一部に壁面を備えることにより、使用者が接触面や荷重伝達部に誤接触してリフィルを開封してしまったり、接触面や荷重伝達部の周囲を汚してしまうことを低減できる。
【００１３】
また、荷重伝達部は、三角リブ状であってもよい。例えばこのような形状を採用することで、荷重伝達部を実現することができる。
【００１４】
また、注出部及び接触面は、それぞれ板状であり、互いに略垂直に接続されるようにしてもよい。例えばこのような構成を採用することで、注出部及び接触面を実現することができる。
【００１５】
なお、課題を解決するための手段に記載した構成は、本発明の課題や技術的思想を逸脱しない範囲で可能な限り組み合わせることができる。
【発明の効果】
【００１６】
内容物がこぼれたりはねたりすることを抑制し、開封時の安定性を向上させたリフィルを提供することができる。
【図面の簡単な説明】
【００１７】
【図１】実施形態に係るリフィルの一例を示す斜視図である。
【図２】実施形態に係るリフィルの蓋部の一例を示す平面図である。
【図３】実施形態に係るリフィルの蓋部の一例を示す正面図である。
【図４】実施形態に係るリフィルの蓋部の一例を示す右側面図である。
【図５】図３に示すリフィルの蓋部のＡ−Ａ断面図である。
【図６Ａ】実施形態に係るリフィルの使用方法を説明するための斜視図である。
【図６Ｂ】実施形態に係るリフィルの使用方法を説明するための斜視図である。
【図６Ｃ】実施形態に係るリフィルの使用方法を説明するための斜視図である。
【図７Ａ】実施形態に係るリフィルの開封時の状態を説明するための部分断面図である。
【図７Ｂ】実施形態に係るリフィルの開封時の状態を説明するための部分断面図である。
【図７Ｃ】実施形態に係るリフィルの開封時の状態を説明するための部分断面図である。
【図８】変形例１に係るリフィルの蓋部を示す斜視図である。
【図９】変形例２に係るリフィルの蓋部を示す斜視図である。
【発明を実施するための形態】
【００１８】
以下、図面を参照して、実施形態に係るリフィルについて説明する。なお、リフィルの構成要素の寸法、材質、形状、相対的な位置等は、特定的な記載がない限り実施形態の例には限定されない。
【００１９】
また、本実施形態に係るリフィルとは、内容物を補充して再使用することが可能な詰替容器に移し替えるための内容物を保持する詰替製品をいうものとする。本実施形態では、内容物としてシャンプー、リンス、トリートメント、コンディショナー、ローション、エッセンス等のような液状の製品を保持する、ボトル型のリフィルを例に説明する。また、リフィルの材質は、充填する内容物に応じて選択することができる。例えば、ポリエチレン（ＰＥ）、ポリプロピレン（ＰＰ）、ポリエチレンテレフタラート（ＰＥＴ）等が好適であるがこれらには限定されない。
【００２０】
＜構成＞
図１は、本実施形態に係るリフィルの一例を示す斜視図である。図２は、図１に示したリフィルを鉛直上方から見た平面図である。また、図２の平面図には便宜上、前後左右を定義しており、図３は、当該リフィルを前から見た正面図である。また、図４は、リフィルを右から見た右側面図である。そして、図５は、図３に示すリフィルを左右方向の中央（Ａ−Ａ）で縦に切断したＡ−Ａ断面図である。
【００２１】
本実施形態に係るリフィル１は、ボトル状の本体１１とリフィル１を密封する蓋部１２とを備える。本体１１は、その内部に上述した内容物を保持する容器であり、円柱に限らず任意の形状とすることができる。また、蓋部１２は、本体１１と結合される部分である結合部１２１と、リフィル１内の内容物を保持する空間の一端（本実施形態においては上端）に設けられ、開封する際に周囲が裂かれて開口を形成する注出部１２２と、注出部１２２の周囲に設けられた溝（切欠き）部１２３と、注出部１２２と略垂直に結合された板状の荷重受部１２４と、例えば略直角三角形の板状であって、直角をはさむ２辺がそれぞれ荷重受部１２４と注出部１２２とのそれぞれに略垂直に結合されたリブ（三角リブ）状の荷重伝達部１２５と、荷重受部１２４及び荷重伝達部１２５の周囲に設けられた壁状の接触防止部１２６とを有する。なお、例えば円筒状の結合部１２１に雄ねじ又は雌ねじを設け、対応する雌ねじ又は雄ねじを有し内容物を保持する他の容器に着脱可能としてもよい。
【００２２】
注出部１２２はその周囲の少なくとも一部に溝部１２３を有し、注出部１２２をリフィル１の内側に押し込むと溝部１２３に応力が集中するようになっている。そして、ある程度の荷重が加えられると溝部１２３が破断し、注出部１２２の周囲（換言すれば、開封前において注出部１２２が存在していた位置）に開口が形成される。なお、本実施形態では蓋部１２の上端面の略全体が注出部１２２になっているが、例えば上端面の一部に溝部１２３及び溝部１２３によって形状が規定される注出部１２２が設けられていてもよい。
【００２３】
また、注出部１２２の上部には、平板状の荷重受部１２４が、注出部１２２と略垂直に接続されている。荷重受部１２４は、詰替容器の開口内に挿入することができる。例えば詰替容器の開口部分は筒状であり、さらに本体１１を押し倒す（傾ける）ことにより詰替容器の開口内に荷重受部１２４を押し当てることができる。なお、荷重受部１２４を「接
触面」とも呼ぶものとする。また、荷重受部１２４が接続される位置は、注出部１２２上の一端（図２の例では後方）に寄っている。そして、注出部１２２上の他端側（図２の例では前方）には、荷重伝達部１２５が、注出部１２２と荷重受部１２４とにそれぞれ略垂直に接続されている。荷重伝達部１２５は、いわゆる三角リブ状であり、荷重受部１２４の幅（左右）方向の略中央付近に接続され、荷重受部１２４から前方に向かって延在している。荷重伝達部１２５は、荷重受部１２４と注出部１２２との接続を補強し、荷重受部１２４が受けた荷重を、注出部１２２の上面に伝達する。したがって、荷重受部１２４が後方から前方に向かって押し倒されると、注出部１２２と荷重受部１２４との接続部分である軸部１２７を中心として荷重受部１２４、荷重伝達部１２５、及び注出部１２２が回動するように変形しようとする。そして、荷重伝達部１２５と注出部１２２との接続部分のうち、軸部１２７とは反対側付近の溝部１２３にまず応力が集中し、当該箇所が破断する。その後、溝部１２３に沿って注出部１２２の周囲が裂け、注出部１２２の縁に沿って開口が形成される。なお、三角リブ状の荷重伝達部１２５は、荷重受部１２４と接続された後端から前方に向かうにつれて高さが低く、且つ注出部１２２と接続された下端から上方に向かうにつれて奥行きが短くなっており、軸部１２７を中心として荷重受部１２４、荷重伝達部１２５、及び注出部１２２が回動する際に、詰替容器の開口の縁と干渉しにくい。
【００２４】
接触防止部１２６は、荷重受部１２４及び荷重伝達部１２５の周囲に設けられており、注出部１２２の周囲から鉛直上方に向かって伸びている。また、接触防止部１２６は、荷重受部１２４と略同じ高さになっている。このような接触防止部１２６を設けることにより、使用者が意図せずにリフィル１を開封して内容物をこぼしてしまったり、注出部１２２の周りを汚して詰め替えの際に内容物を汚染（「二次汚染」とも呼ぶ）させてしまう可能性を低減できる。なお、接触防止部１２７の形状や大きさは、図示した例には限定されない。また、接触防止部１２７は、いわゆるキャップのようなカバー部材によって形成されていてもよい。
【００２５】
＜使用方法＞
次に、リフィル１の使用方法（作用）について説明する。図６Ａ〜図６Ｃは、リフィル１の開封方法を説明するための斜視図である。また、図７Ａ〜図７Ｃは、図２に示した左右方向の中央で縦にリフィル１の蓋部１２及び詰替容器２の開口部付近を切断した部分断面図である。なお、図６Ａ〜図６Ｃと、図７Ａ〜図７Ｃとは、それぞれ対応する状態を示している。
【００２６】
図６Ａ及び図７Ａは、詰替容器２の開口部２１にリフィル１の挿入部１２１を挿入する前の状態を示している。なお、リフィル１は鉛直方向の上下が逆さになっているが、開封前のリフィル１は密封されており、内容物が漏れることはない。
【００２７】
ここで、詰替容器２は再使用可能な容器であり、内容物が減少したり内容物を使い切った場合にリフィル１から充填し直すことができる。本実施形態に係る開口部２１は筒状の開口部分である。なお、開口部２１の外周側面には、蓋やポンプ等を取り付け可能なねじ山（図示せず）を有していてもよい。
【００２８】
図５Ｂ及び図６Ｂは、詰替容器２の開口部２１にリフィル１の荷重受部１２４及び荷重伝達部１２５を挿入した状態を示している。このとき、詰替容器２の開口部２１の縁は、リフィル１の荷重受部１２４と接触防止部１２６との間に挿入される。そして、使用者は、リフィル１の荷重受部１２４を詰替え容器２の開口部２１内に押し当てるように、リフィル１の本体１１を倒す。このようにすると、軸部１２７を中心として荷重受部１２４、荷重伝達部１２５、及び注出部１２２が回動するように変形しようとする。そして、荷重伝達部１２５と注出部１２２との接続部分のうち、軸部１２７とは反対側付近の溝部１２
３にまず応力が集中し、当該箇所が破断する。
【００２９】
図５Ｃ及び図６Ｃは、リフィル１を開封した状態を示している。使用者がさらにリフィル１を押し倒すと、溝部１２３に沿って注出部１２２の周囲が裂け、開口が広がる。そして、注出部１２２から内容物が詰替容器２内へ注がれる。
【００３０】
＜効果＞
以上のように、本実施形態に係るリフィル１によれば、リフィル１のうち詰替容器２内に挿入した状態で、使用者が注出部１２２の周囲に触れることなく開封することができる。したがって、開封時に使用者が手などを汚すことがなくなる。また、リフィルを詰替容器に押し込む操作よりも、リフィルを押し倒す操作の方が一般的に使用者は力を加減し易いため、開封時に勢いを余らせて内容物をこぼすようなことが抑制できる。すなわち、上述の実施形態に係るリフィル１の荷重伝達部１２５は注出部１２２と垂直に接続されているため９０度以上はリフィル１を押し倒すことができないところ、使用者が手首をひねってリフィルを押し倒す際の回転角も同程度であり、開封時に勢いを余らせるおそれは低いといえる。したがって、本実施形態に係るリフィルによれば、内容物がこぼれたりはねたりすることを抑制し、開封時の安定性を向上させることができる。
【００３１】
＜変形例１（荷重受部の変形例）＞
図８は、変形例１に係るリフィル１の蓋部１２を示す斜視図である。変形例については、上述した実施形態と対応する箇所に同一の符号を付し、相違点を中心に説明する。本変形例に係るリフィル１は、荷重受部１２４を有しておらず、その他の構成は上述した実施形態と同様である。このような構成であっても、板状の荷重伝達部１２５と平行な方向に使用者がリフィル１を押し倒すことで、リフィル１の注出部１２２を開封することができる。ただし、上述した実施形態に様に荷重受部１２４を設けることにより、詰替容器２の開口２１内から効率よく荷重を受け、注出部１２２へ伝達することができるようになる。なお、本変形例では、荷重受部１２４を明らかに有していない構成としており、上述した実施形態では、板状の荷重受部１２４と板状の荷重伝達部１２５とを明確に区別できるような構成としているが、荷重受部１２４と荷重伝達部１２５との境界が渾然一体となった形状を採用するようにしてもよい。また、上述した実施形態において、荷重受部１２４は、注出部１２２と接続されていなくてもよい。すなわち、荷重受部１２４は、少なくとも荷重伝達部１２５と接続されていればよい。
【００３２】
＜変形例２（接触防止部の変形例）＞
図９は、他の変形例に係るリフィル１の蓋部１２を示す斜視図である。本変形例についても、上述した実施形態と対応する箇所に同一の符号を付し、相違点を中心に説明する。本変形例に係るリフィル１は、接触防止部１２６を有しておらず、その他の構成は上述した実施形態と同様である。このような構成であっても、使用者がリフィル１の荷重受部１２４及び荷重伝達部１２５を詰替容器２の開口部２１に挿入し、リフィル１を押し倒すことにより、リフィル１の注出部１２２を開封することができる。なお、上述した変形例１を組み合わせ、荷重受部１２４及び接触防止部１２６を有しない構成としてもよい。
【００３３】
＜変形例３（溝部の変形例）＞
上述した実施形態又は変形例に示した溝部１２３の深さは、一定でなくてもよい。例えば、図２に示した前方の一点が最も深くなるように形成する。応力が集中し易い箇所を設けることにより、当該部分が破断の起点となって容易に開封できるようになる。さらに、溝部１２３は、最も深い箇所から遠ざかるにつれて徐々に浅くなるように形成されていてもよい。また、図５に示した断面図では軸部１２７の後方にも溝部１２３が設けられているが、例えば軸部１２７の後方には溝部１２３を有していなくてもよい。すなわち、溝部１２３は、いわゆる閉路を形成しないような形状であってもよく、このような場合は溝部
１２３の形状及び溝部１２３の端部を結ぶ線によって開口の形状が規定される。
【００３４】
以上のような変形例に係る態様であっても、リフィル１と詰替容器２とを相対的に回転させて開封することができ、内容物がこぼれたりはねたりすることを抑制できると共に、開封時の安定性を向上させることができる。
【００３５】
＜変形例４（リフィルの蓋）＞
上述した実施形態又は変形例に係る蓋部１２について、例えば円筒状の結合部１２１に雄ねじ又は雌ねじを設け、対応する雌ねじ又は雄ねじを有し内容物を保持する他の容器に着脱可能としてもよい。すなわち、本発明は、リフィルの蓋（注出口の構造）として特定することもできる。このようにすれば、様々な容器を、使用者が手などを汚さずに開封及び詰め替えができるリフィルとして使用するための、交換可能な蓋を提供することができる。
【符号の説明】
【００３６】
１      リフィル
１１      本体
１２      蓋部
１２１      結合部
１２２      注出部
１２３      溝部
１２４      荷重受部
１２５      荷重伝達部
１２６      接触防止部
１２７      軸部
２      詰替容器
２１      開口部
【図１】
2016153322.tif 000003
【図２】
2016153322.tif 000004
【図３】
2016153322.tif 000005
【図４】
2016153322.tif 000006
【図５】
2016153322.tif 000007
【図６Ａ】
2016153322.tif 000008
【図６Ｂ】
2016153322.tif 000009
【図６Ｃ】
2016153322.tif 000010
【図７Ａ】
2016153322.tif 000011
【図７Ｂ】
2016153322.tif 000012
【図７Ｃ】
2016153322.tif 000013
【図８】
2016153322.tif 000014
【図９】
2016153322.tif 000015